(57)【要約】【課題】モバイル端末を持たないユーザであっても、パネルレスの画像形成装置の目の前でジョブを発行させる。【解決手段】ＭＦＰ（画像形成装置）に実行させるジョブを予約した際に、当該ジョブの設定と、ジョブに対応する予約ジョブ実行ワード（予約ジョブ実行許可情報）とを関連付けて、予約ジョブ蓄積部に記憶する。そして、センサ受信部（原稿検知部）が検知した原稿を、エンジン制御部がエンジンを制御することによって読み取って、読み取りデータ蓄積部が、読み取った画像データを蓄積する。さらに、予約ジョブ制御部は、原稿から読み取った画像データの特徴量と予約ジョブ蓄積部に記憶された予約ジョブ実行ワードが有する特徴量とが一致したことを条件として、当該予約ジョブ実行ワードに関連付けられたジョブをシステム制御部に実行させる。【選択図】図５
2019161281.tif 000002
【特許請求の範囲】
【請求項１】
原稿を検知する原稿検知部と、
前記原稿検知部が検知した原稿の読み取りを行うエンジンを制御するエンジン制御部と、
前記原稿から読み取った画像データを蓄積する読み取りデータ蓄積部と、
読み取った前記画像データの特徴量を計算する読み取り画像解析部と、
画像形成装置に実行させるジョブを予約した際に、当該ジョブの設定と、前記ジョブに対応する予約ジョブ実行許可情報とを関連付けて記憶する予約ジョブ蓄積部と、
前記原稿から読み取った画像データの特徴量と前記予約ジョブ蓄積部に記憶された前記予約ジョブ実行許可情報が有する特徴量とが一致したことを条件として、当該予約ジョブ実行許可情報に関連付けられたジョブを実行する予約ジョブ制御部と、
前記予約ジョブ制御部に対して、予約されたジョブの実行を指示するシステム制御部と、
を備えることを特徴とする画像形成装置。
【請求項２】
前記予約ジョブ実行許可情報は文字列を含む、
ことを特徴とする請求項１に記載の画像形成装置。
【請求項３】
前記予約ジョブ制御部がプリントを行うジョブを受け付けた際に、
当該予約ジョブ制御部は、前記原稿の一枚目から読み取った画像データの特徴量と前記予約ジョブ蓄積部に記憶された前記予約ジョブ実行許可情報が有する特徴量とが一致したことを条件として、前記原稿の二枚目以降に対して前記ジョブを実行する、
ことを特徴とする請求項１または請求項２に記載の画像形成装置。
【請求項４】
前記予約ジョブ蓄積部は、所定時間が経過したことを条件として、予約されたジョブを削除する、
ことを特徴とする請求項１から請求項３のいずれか１項に記載の画像形成装置。
【請求項５】
前記原稿検知部は、前記原稿を検知した際に、当該原稿の読み取りを行うかを選択する選択スイッチを更に備える、
ことを特徴とする請求項１から請求項４のいずれか１項に記載の画像形成装置。
【請求項６】
前記原稿検知部は、所定の位置に載置された原稿を押さえる圧板と、薄手のシート状の原稿を挿入する第１の給紙口と、厚手のシート状の原稿を挿入する第２の給紙口と、の少なくとも一つを備える、
ことを特徴とする請求項１から請求項５のいずれか１項に記載の画像形成装置。
【請求項７】
原稿を検知する原稿検知ステップと、
前記原稿検知ステップが検知した原稿の読み取りを行うエンジンを制御するエンジン制御ステップと、
前記原稿から読み取った画像データを蓄積する読み取りデータ蓄積ステップと、
読み取った前記画像データの特徴量を計算する読み取り画像解析ステップと、
画像形成装置に実行させるジョブを予約した際に、当該ジョブの設定と、前記ジョブに対応する予約ジョブ実行許可情報とを関連付けて記憶する予約ジョブ蓄積ステップと、
前記原稿から読み取った画像データの特徴量と前記予約ジョブ蓄積ステップで記憶された前記予約ジョブ実行許可情報が有する特徴量とが一致したことを条件として、当該予約ジョブ実行許可情報に関連付けられたジョブを実行する予約ジョブ制御ステップと、
前記予約ジョブ制御ステップに対して、予約されたジョブの実行を指示するシステム制御ステップと、
を備える画像形成方法。
【請求項８】
画像形成装置を制御するコンピュータを、
原稿を検知する原稿検知部と、
前記原稿検知部が検知した原稿の読み取りを行うエンジンを制御するエンジン制御部と、
前記原稿から読み取った画像データを蓄積する読み取りデータ蓄積部と、
読み取った前記画像データの特徴量を計算する読み取り画像解析部と、
画像形成装置に実行させるジョブを予約した際に、当該ジョブの設定と、前記ジョブに対応する予約ジョブ実行許可情報とを関連付けて記憶する予約ジョブ蓄積部と、
前記原稿から読み取った画像データの特徴量と前記予約ジョブ蓄積部に記憶された前記予約ジョブ実行許可情報が有する特徴量とが一致したことを条件として、当該予約ジョブ実行許可情報に関連付けられたジョブを実行する予約ジョブ制御部と、
前記予約ジョブ制御部に対して、予約されたジョブの実行を指示するシステム制御部と、
して機能させるプログラム。
【発明の詳細な説明】
【技術分野】
【０００１】
本発明は、画像形成装置、画像形成方法およびプログラムに関する。
【背景技術】
【０００２】
近年、画像形成装置は様々なコストダウンの工夫が行われており、本体のオペレーションパネル（以下、オペパネと略す）をなくして、ノートパソコンやスマートフォン、タブレット端末等から操作することが可能なパネルレス機等が注目されている。このようなパネルレス機の場合、当該パネルレス機を操作可能な可搬型（モバイル）のノートパソコンやスマートフォン、タブレット端末等を持たないユーザは、オペパネを持たない画像形成装置の目の前でジョブを発行することができない。そのため、非可搬型のデスクトップパソコン（以下、デスクトップＰＣと記載する）しか持たないユーザが、当該画像形成装置でプリントを行うには、画像形成装置から離れた位置にあるデスクトップＰＣからプリントのジョブを発行する必要があった。したがって、プリント完了後、印刷された用紙を直ちに回収することができないという問題があった。また、スキャンを行う際には、原稿を挿入してから、自席に戻ってデスクトップＰＣからスキャンのジョブを発行する必要があった。したがって、原稿を挿入してから自席に戻るまでの間に他のユーザがスキャンのジョブを発行した場合、そのユーザに原稿が読み取られてしまうという問題があった。
【０００３】
このような問題に鑑み、例えば特許文献１では、画像形成装置に行わせるジョブの内容をＱＲコード（登録商標）等で原稿に印刷しておき、当該ＱＲコード（登録商標）、すなわちジョブの内容を画像形成装置に読み取らせることで、ジョブの設定を行う操作を省略している。この方法であれば、デスクトップＰＣしか持たないユーザであっても、画像形成装置の目の前でジョブを発行させることができる。
【発明の概要】
【発明が解決しようとする課題】
【０００４】
しかしながら、特許文献１に開示された方法であっても、予めＱＲコード（登録商標）等でジョブの設定を記述した原稿がなければ、モバイル端末を持たないユーザは、パネルレスの画像形成装置の目の前でジョブを発行させることができないという問題があった。
【０００５】
本発明は、上記に鑑みてなされたものであり、モバイル端末を持たないユーザであっても、予めＱＲコード（登録商標）等でジョブの設定を記述した原稿を準備することなく、パネルレスの画像形成装置の目の前でジョブを発行させることが可能な画像形成装置、画像形成方法およびプログラムを提供することを目的とする。
【課題を解決するための手段】
【０００６】
前記した課題を解決し、目的を達成するために、本発明の画像形成装置は、原稿を検知する原稿検知部と、前記原稿検知部が検知した原稿の読み取りを行うエンジンを制御するエンジン制御部と、前記原稿から読み取った画像データを蓄積する読み取りデータ蓄積部と、読み取った前記画像データの特徴量を計算する読み取り画像解析部と、画像形成装置に実行させるジョブを予約した際に、当該ジョブの設定と、前記ジョブに対応する予約ジョブ実行許可情報とを関連付けて記憶する予約ジョブ蓄積部と、前記原稿から読み取った画像データの特徴量と前記予約ジョブ蓄積部に記憶された前記予約ジョブ実行許可情報が有する特徴量とが一致したことを条件として、当該予約ジョブ実行許可情報に関連付けられたジョブを実行する予約ジョブ制御部と、前記予約ジョブ制御部に対して、予約されたジョブの実行を指示するシステム制御部と、を備える。
【発明の効果】
【０００７】
本発明によれば、モバイル端末を持たないユーザであっても、予めＱＲコード（登録商標）等で、画像形成装置に実行させるジョブの設定を記述した原稿を準備することなく、パネルレスの画像形成装置の目の前でジョブを発行させることができる。
【図面の簡単な説明】
【０００８】
【図１】図１は、実施形態のＭＦＰの外観の構成を概略的に示した図である。
【図２】図２は、ＡＤＦの給紙口の構成を説明するための図である。
【図３】図３は、第１の給紙口と第２の給紙口から原稿をＡＤＦの内部へと導く搬送機構の構成を示す図である。
【図４】図４は、ＭＦＰのハードウェア構成の一例を示すハードウェアブロック図である。
【図５】図５は、ＭＦＰの機能構成の一例を示す機能ブロック図である。
【図６】図６は、ＭＦＰの利用例を示す図である。
【図７】図７は、従来のＭＦＰの利用例を示す図である。
【図８】図８は、ＭＦＰの操作端末に表示されるジョブ設定画面の一例を示す図である。
【図９】図９は、ＭＦＰの操作端末に表示される予約ジョブ実行ワードの表示画面の一例を示す図である。
【図１０】図１０は、ＭＦＰが記憶している、予約ジョブと予約ジョブ実行ワードとの対応関係を示す予約ジョブテーブルの一例を示す図である。
【図１１】図１１は、外部端末からジョブの設定を受け取った際にＭＦＰが行う処理の流れの一例を示すシーケンス図である。
【図１２】図１２は、ＭＦＰの圧板に予約ジョブ実行ワードを書き写したメモを挿入した際に、ＭＦＰが行う処理の流れの一例を示すシーケンス図である。
【発明を実施するための形態】
【０００９】
以下、添付図面を参照して、本発明の実施形態について説明する。
【００１０】
（ＭＦＰの構成）
図１は、本実施形態のＭＦＰ（MultiFunction  Peripheral）１の外観の構成を概略的に示す図である。なお、ＭＦＰ１は、画像形成装置の一例である。ＭＦＰ１は、上部に画像読取装置２０を備える。画像読取装置２０は、画像読取ユニット２１と自動原稿搬送ユニット（「ＡＤＦ」）２２とからなる。また、ＭＦＰ１は、下部に画像形成ユニット２３を備える。以下の説明では、ＡＤＦ２２として２つの給紙口を設けたものについて示す。
【００１１】
図２は、ＡＤＦ２２の給紙口の構成を説明するための図である。図２（ａ）は、ＡＤＦ２２の平面図であり、ＡＤＦ２２が有する２つの給紙口の内の第１の給紙口２２０の構成を主に示している。図２（ｂ）は、２つの給紙口の内の第２の給紙口２２１の構成を示す斜視図である。
【００１２】
図２に示すように、ＡＤＦ２２は、２つの給紙口として第１の給紙口２２０と第２の給紙口２２１とを有する。第１の給紙口２２０は、普通紙等の薄手のシート状の原稿を給紙するタイプのものであり、原稿トレイ２２０ａを有する。原稿トレイ２２０ａに原稿が積載されてなる原稿束Ｘ１は、原稿トレイ２２０ａの案内レール２２０ｂに沿って第１の給紙口２２０の開口部２２０ｃの内部へと導かれる。第２の給紙口２２１は、カード等の厚手の原稿を１枚ずつ手差しで給紙するタイプのものであり、カバー２２１ａと開閉式の手差し原稿トレイ２２１ｂとを有する。カバー２２１ａから手差し原稿トレイ２２１ｂを開放することにより、第２の給紙口２２１の開口部２２１ｃが露出する。手差し原稿トレイ２２１ｂに１枚ずつセットされた原稿Ｘ２は、手差し原稿トレイ２２１ｂの案内レール２２１ｄに沿って第２の給紙口２２１の開口部２２１ｃの内部へと導かれる。
【００１３】
図３は、２つの給紙口（第１の給紙口２２０と第２の給紙口２２１）から、それぞれの給紙口にセットされた原稿をＡＤＦ２２の内部へと導く搬送機構の構成を示す図である。なお、図３は、搬送機構の他にＭＦＰ１の主要な内部構成も示している。
【００１４】
図３に示す画像読取装置２０は、原稿の読取面として、フラットベットコンタクトガラス２１０とＤＦ（Document  Feeder）コンタクトガラス２１１とを有する。ＡＤＦ２２は、フラットベットコンタクトガラス２１０から上方に開放可能な構成のものである。フラットベットコンタクトガラス２１０（第３の給紙口）に対しての原稿の配置や原稿の取り出しは、オペレータがＡＤＦ２２を開放する等して行われる。その際、配置された原稿は、ＡＤＦ２２によってフラットベットコンタクトガラス２１０に押し当てられる。すなわち、ＡＤＦ２２は圧板としての機能を兼ね備えている。また、他方のＤＦコンタクトガラス２１１に対しては、ＡＤＦ２２の搬送機構が原稿を自動搬送し、画像読取後、当該搬送機構がその原稿を自動排紙する。
【００１５】
画像読取ユニット２１の内部には、読取ユニット２１２ａや読取ユニット２１２ａの移動機構２１２ｂ等が収められている。読取ユニット２１２ａは、主走査方向（図３の紙面の奥方向）に延在するラインセンサ（ＣＣＤ（Charge  Coupled  Device）やＣＭＯＳ（Complementary  MOS）等）や照明ユニット等を備え、ブラケット２１３ａ等により保持されている。移動機構２１２ｂは、副走査方向に延在するガイドロッド２１３ｂを有し、ガイドロッド２１３ｂに対してブラケット２１３ａが摺動可能に接続されている。この移動機構２１２ｂにより、画像読取ユニット２１は、フラットベットコンタクトガラス２１０とＤＦコンタクトガラス２１１との間を移動する。
【００１６】
図３には、画像読取ユニット２１がＤＦコンタクトガラス２１１に配置された状態を実線で示し、フラットベットコンタクトガラス２１０に配置された状態を破線で示している。ブラケット２１３ａは、フラットベットコンタクトガラス２１０とＤＦコンタクトガラス２１１のガラス面の傾きに応じて読取ユニット２１２ａが傾く機構を有する。この機構により、画像読取ユニット２１は、異なるガラス面においても原稿の像をラインセンサの撮像エリアに結像する。
【００１７】
本実施形態では、画像読取装置２０は、ＤＦコンタクトガラス２１１における読取ユニット２１２ａの対向位置に裏面読取ユニット２１２ａ−１を有している。この構成により、ＤＦコンタクトガラス２１１における両面読取も可能にしている。
【００１８】
次に、ＡＤＦ２２の搬送機構について説明する。ＡＤＦ２２は、第１の給紙口２２０から搬入する原稿をＤＦコンタクトガラス２１１の対面位置に搬送する第１の原稿搬送路２２３ａを有する。第１の原稿搬送路２２３ａは、反転構造２２３−１ａを有する反転搬送経路であり、原稿の搬入から排出までの間に原稿の搬送方向を反転させて原稿の表裏を逆転させる。第１の原稿搬送路２２３ａの経路内には、原稿束Ｘ１から最上位の原稿を１枚ずつ繰り出す分離ユニット２２４や、分離された原稿を第１の原稿搬送路２２３ａに沿って搬送するローラ対（例えばローラ対２２５ａ、２２５ｂ、２２５ｃ等）や、各種の検知センサ（例えば検知センサ２２６ａ、２２６ｂ等）を有する。ここで、検知センサ２２６ａは、第１の給紙口２２０に搬入された原稿を検知する検知センサである。検知センサ２２６ｂは、原稿のエッジを検知するレジストセンサである。なお、図示を省略しているが、画像読取装置２０は、これ以外にも、原稿の排紙を検知する排紙センサ、原稿幅を検知する原稿幅センサ、画像読取ユニット２１がホームポジションに位置することを検知するセンサ等を有する。
【００１９】
ＡＤＦ２２は、更に、第２の給紙口２２１から搬入する原稿をＤＦコンタクトガラス２１１の対面位置に搬送する第２の原稿搬送路２２３ｂを有する。第２の原稿搬送路２２３ｂの入口（つまり、第２の給紙口２２１の開口部２２１ｃ）には、手差しにより搬入された原稿を検知する検知センサ２２６ｃを有する。第２の原稿搬送路２２３ｂは、ストレート搬送経路であり、例えば、厚手の原稿を反転させずにＤＦコンタクトガラス２１１に直接導くことができる。第２の原稿搬送路２２３ｂは、第１の原稿搬送路２２３ａ内に構成されている反転構造２２３−１ａの後段のストレート搬送路を共有する。つまり、第２の原稿搬送路２２３ｂは、主に第１の原稿搬送路２２３ａのストレート搬送路により構成される。
【００２０】
第１の給紙口２２０及び第２の給紙口２２１から搬入された各原稿は、第２の原稿搬送路２２３ｂにおいて、共通のローラ対２２５ｂによりＤＦコンタクトガラス２１１に導かれる。そして、ＤＦコンタクトガラス２１１で読み取られた各原稿は、共通のローラ対２２５ｃにより排出口２２７へと搬送され、排紙トレイ２２８へスタックされる。
【００２１】
画像形成ユニット２３は、図３に破線で示す矩形の位置に配置されている。画像形成ユニット２３は露光ユニットや、感光体ドラムや、現像装置（ＣＭＹＫの４色トナーの現像装置等）や、転写ベルトや、二次転写部や、定着部等を有する従来構成のものである。また、画像形成ユニット２３は、記録紙の収納庫や、記録紙を転写位置に搬送して排紙する搬送機構等を有する。
【００２２】
画像形成ユニット２３は、画像読取ユニット２１で読み取った読取画像から生成された印刷データに基づき、例えばカラー出力であれば露光ユニットにより各色の感光体ドラムを露光して各感光体ドラム上に静電潜像を形成し、現像装置の各色の現像ユニットで各感光体ドラムの潜像上にトナーを供給して現像する。また、画像形成ユニット２３は、各色の感光体ドラム上のトナー像を転写ベルトに一次転写し、二次転写部で記録紙上に重ねて二次転写した後、定着部により記録紙上のトナー像を加熱および加圧して定着させ、記録紙上にカラー画像を形成する。画像形成ユニット２３は、従来と同様の構成を有するため、詳細な説明は省略する。
【００２３】
（ＭＦＰのハードウェア構成の説明）
図４は、ＭＦＰ１のハードウェア構成の一例を示すハードウェアブロック図である。ＭＦＰ１は、コントローラ１０と、エンジン１２と、エンジンコントローラ１４と、ネットワークインタフェース１５と、ＣＰＵ（Central  Processing  Unit）１６と、ＲＯＭ（Read  Only  Memory）１７と、ＲＡＭ（Random  Access  Memory）１８と、を備える。
【００２４】
コントローラ１０は、ＭＦＰ１全体の制御を行う。エンジン１２は、ＭＦＰ１におけるスキャナの動作を制御するスキャナエンジン１２ａと、ＭＦＰ１におけるプロッタの動作を制御するプロッタエンジン１２ｂとを備える。エンジンコントローラ１４は、エンジン１２の動作を制御する。ネットワークインタフェース１５は、ＭＦＰ１と複数のデスクトップＰＣ２ａ、２ｂ、…とを、例えば、イーサネット（登録商標）等のネットワークを介して接続する。なお、デスクトップＰＣ２ａ、２ｂ、…は、ＭＦＰ１に実行させるジョブの登録を行う端末の一例である。ＣＰＵ１６は、コントローラ１０やエンジンコントローラ１４における演算処理を行う。ＲＯＭ１７は、ＭＦＰ１上で動作する制御プログラム及びアプリケーション等を記憶する。ＲＡＭ１８は、ＣＰＵ１６のワークエリアとして、データの一時記憶等を行う。なお、複合機であるＭＦＰ１のエンジン１２は、前記したスキャナエンジン１２ａとプロッタエンジン１２ｂの他に、ファクシミリの制御を司るファクシミリエンジン等のエンジンを有していてもよい。
【００２５】
（ＭＦＰの機能構成の説明）
図５は、ＭＦＰ１の機能構成の一例を示す機能ブロック図である。ＭＦＰ１のコントローラ１０は、ＲＯＭ１７に記憶された制御プログラムを読み出して、ＲＡＭ１８に展開する。そして、コントローラ１０は、ＲＡＭ１８に展開された制御プログラムをＣＰＵ１６に実行させることにより、図５に示す各機能部を実現する。
【００２６】
具体的には、ＭＦＰ１は、センサ受信部３０と、エンジン制御部３２と、読み取りデータ蓄積部３４と、読み取り画像解析部３６と、予約ジョブ蓄積部３８と、予約ジョブ制御部４０と、システム制御部４２と、を実現する。
【００２７】
センサ受信部３０は、原稿が挿入されているかどうかを検知し、システムに通知する。なお、センサ受信部３０は、原稿検知部の一例である。
【００２８】
エンジン制御部３２は、ＭＦＰ１が有するエンジン１２（スキャナエンジン１２ａ及びプロッタエンジン１２ｂ）の制御を行う。
【００２９】
読み取りデータ蓄積部３４は、ＭＦＰ１のスキャナエンジン１２ａが読み取った画像データを一時的に蓄積する。
【００３０】
読み取り画像解析部３６は、読み取りデータ蓄積部３４に蓄積している画像データを解析して、予約ジョブ実行ワードが含まれているかどうかを判定する。なお、予約ジョブ実行ワードは、予約ジョブ実行許可情報の一例であり、本実施形態の予約ジョブ実行ワードは、数字、アルファベット等を含む文字列であるとする。
【００３１】
予約ジョブ蓄積部３８は、予約しているジョブの設定と予約ジョブ実行ワードとを関連つけて保持する。
【００３２】
予約ジョブ制御部４０は、予約ジョブ蓄積部３８に蓄積されている予約ジョブに関する制御を行う。また、予約ジョブ制御部４０は、予約ジョブと１対１に対応する識別番号である予約ジョブ実行ワードを生成する。
【００３３】
システム制御部４２は、前記した各部に対する制御を行う。
【００３４】
（ＭＦＰの動作例の説明）
次に、図６、図７を用いて、ＭＦＰ１の動作例について説明する。図６は、ＭＦＰ１の利用例を示す図である。図７は、従来のＭＦＰ１ａの利用例を示す図である。
【００３５】
本実施形態のＭＦＰ１の特徴は、パネルレスなどの直接ユーザの操作を受け付ける機能を持たないＭＦＰ１（画像形成装置）を、タブレットやスマートフォン、ノートパソコン等の可搬型操作機器（以下、モバイル機）を持たないユーザが、遠隔から操作できる点にある。
【００３６】
図６の例では、ＭＦＰ１はパネルレスであって操作部を備えていない。また、ユーザが利用できるデスクトップＰＣ２ａは、ＭＦＰ１から離れた場所にある。したがって、図６のＭＦＰ１で原稿の読み取り（スキャン）を行う場合、ユーザは、以下の手順を踏む必要がある。
【００３７】
ユーザは、ＭＦＰ１に実行させるジョブを、予め予約することができる。具体的には、ユーザは、図６のように離れた場所にあるＭＦＰ１に対して、デスクトップＰＣ２ａから、ＭＦＰ１に実行させるジョブを予約する（予約画面については後述する（図８））。
【００３８】
まず、ユーザは、デスクトップＰＣ２ａにおいて、ＭＦＰ１に実行させるジョブ（例えば、原稿を読み取るジョブ）を予約する（ステップＳ１）。そして、デスクトップＰＣ２ａは、予約されたジョブをＭＦＰ１に送信する。ジョブを受信したＭＦＰ１は、当該ジョブと１対１に対応する予約ジョブ実行ワードを生成する。
【００３９】
ＭＦＰ１は、生成した予約ジョブ実行ワードをデスクトップＰＣ２ａに送信する。そして、デスクトップＰＣ２ａには、予約ジョブ実行ワードが表示される（ステップＳ２）。
【００４０】
ユーザは、予約ジョブ実行ワードを紙に書き写してメモ８０を作成する。そして、ユーザは、メモ８０と、ＭＦＰ１に読み取らせる読み取り原稿とを持ってＭＦＰ１の位置まで移動する（ステップＳ３）。
【００４１】
ユーザは、予約ジョブ実行ワードが書き写されたメモ８０をＭＦＰ１に読み取らせる（ステップＳ４）。ＭＦＰ１は、読み取ったメモ８０に書かれた文字を、予め記憶している予約ジョブ実行ワードと比較することによって、該当する予約ジョブ実行ワードを認識する。そして、ＭＦＰ１は、認識した予約ジョブ実行ワードに関連付けられた予約ジョブの内容を検索し、そのジョブを実行する。
【００４２】
図６の例では、予約ジョブは読み取り原稿の読み取りであるため、ＭＦＰ１は、ユーザがセットした読み取り原稿の読み取りを行う。
【００４３】
このように、ＭＦＰ１は、直接操作部を持たないにも関わらず、ユーザは、ＭＦＰ１の目の前でジョブの実行を指示することができる。
【００４４】
これに対して、従来のＭＦＰ１ａでは、図７に示すように、まず、ユーザは、ＭＦＰ１ａにスキャンする読み取り原稿をセットする（ステップＳ１０）。
【００４５】
次に、ユーザは、デスクトップＰＣ２ａがある場所まで移動し、読み取り実行ジョブを、デスクトップＰＣ２ａからＭＦＰ１ａに送信する（ステップＳ１１）。
【００４６】
さらに、ユーザは、読み取り原稿を回収しに、ＭＦＰ１ａまで取りに行く（ステップＳ１２）。
【００４７】
この場合、ＭＦＰ１ａに読み取り原稿をセットしてから、読み取り原稿を回収しに行くまでの間、ＭＦＰ１ａ上に読み取り原稿が置かれたままになる。したがって、その間に、他の人に読み取り原稿を読まれてしまう恐れがある。また、その間に、他のユーザが読み取り原稿の読み取りを指示した場合、読み取り原稿のデータが盗まれてしまう、という問題がある。
【００４８】
このように、ＭＦＰ１は、従来のＭＦＰ１ａが抱える問題を解決することができる。
【００４９】
（ジョブ予約画面の説明）
次に、図８を用いて、デスクトップＰＣ２ａに表示されるジョブ予約画面について説明する。図８は、ＭＦＰ１の操作端末であるデスクトップＰＣ２ａに表示されるジョブ設定画面５０の一例を示す図である。デスクトップＰＣ２ａには、まず、設定するジョブの種類（スキャン、プリント、ファクシミリ等）を選択する選択画面（不図示）が表示される。図８に示すジョブ設定画面５０は、この選択画面において、読み取り原稿の読み取りを行う「スキャン」を選択した際に表示される画面である。ジョブ設定画面５０は、ＭＦＰ１がどのような設定で読み取り原稿の読み取りを行うかを設定する実行パラメータ５１と、読み取った画像をどこに保存するかを設定する保存先５２と、ジョブを予約するかどうかを設定するジョブ予約５３と、を含む。
【００５０】
ジョブを予約する際には、実行パラメータ５１の各項目に設けられたメニューボタン５５を操作することによって出現するプルダウンメニューの中から、該当するパラメータを選択する。次に、保存先５２に表示されたチェックボックス５６の中から、該当するチェックボックス５６にチェックを入れる、または、必要に応じて、入力ウインドウ５７に情報を入力する。そして、ジョブ予約５３のチェックボックス５６にチェックを入れる。
【００５１】
なお、ジョブ予約５３のチェックボックス５６のチェックが外れた状態で読み取り実行ボタン５４を押下すると、ジョブ設定画面５０に設定した内容で、ＭＦＰ１に挿入されている読み取り原稿の読み取りが即時に実行される。なお、読み取り実行ボタン５４は、選択スイッチの一例である。
【００５２】
デスクトップＰＣ２ａは、ジョブの予約が完了した後で、図９に示す、予約ジョブ実行ワード画面６０を表示する。なお、予約されたジョブは一定時間後に削除されるが、ジョブ設定画面５０において、予約したジョブをいつ削除するかをユーザが指定できるようにしてもよい。
【００５３】
図９に示す予約ジョブ実行ワード画面６０において、予約ジョブ実行ワード６２は、設定画面５０に重畳されたサブウインドウ６１の中に表示される。予約ジョブ実行ワード６２は、ＭＦＰ１において生成される、設定されたジョブと１対１に対応する固有の識別番号である。より具体的には、デスクトップＰＣ２ａは、予約されたジョブをＭＦＰ１に転送する。その後、ＭＦＰ１において、予約ジョブ制御部４０（図５参照）は、転送されたジョブと１対１に対応する予約ジョブ実行ワード６２を生成する。そして、ＭＦＰ１は、生成された予約ジョブ実行ワード６２を、予約ジョブの送信元であるデスクトップＰＣ２ａに送信する。デスクトップＰＣ２ａは、予約ジョブ実行ワード６２を受信して、予約ジョブ実行ワード画面６０のサブウインドウ６１の中に表示する。
【００５４】
その後、ユーザは、サブウインドウ６１に表示された予約ジョブ実行ワード６２をメモ８０に書き写し、そのメモ８０をＭＦＰ１に読み取らせることで、設定画面５０で予約したジョブを、ＭＦＰ１に実行させる。
【００５５】
なお、図９の例では、予約ジョブ実行ワード６２（予約ジョブ実行許可情報）は６桁の数字で構成された文字列としている。しかし、予約ジョブ実行ワード６２は、ＭＦＰ１が読み取ることができるものであれば、図形等の画像データとしてもよい。また、予約ジョブ実行ワード６２は、予め印刷した画像等であってもよい。
【００５６】
さらに、本実施形態では、予約ジョブ実行ワード６２は、ＭＦＰ１の予約ジョブ制御部４０が生成するものとして説明したが、例えば、予約するジョブがプリントジョブである場合に、プリントしようとしているプリント原稿の１枚目の画像またはプリント原稿の１枚目に書かれている文字列を、予約ジョブ実行ワード６２（予約ジョブ実行許可情報）としてもよい。この場合、ＭＦＰ１は、プリントジョブを受け付けた際に、プリント原稿の１枚目の画像または文字列を読み取って、予約ジョブ実行ワード６２と比較する。そして、ＭＦＰ１は、プリント原稿の１枚目の画像または文字列が、予約ジョブ実行ワード６２と一致したことを条件として、２枚目以降に読み取ったプリント原稿を、予約ジョブの設定に従ってプリントする。このように、ユーザが、自ら予約ジョブ実行ワード６２を指定する構成としてもよい。
【００５７】
（予約ジョブテーブルの説明）
次に、図１０を用いて、予約ジョブテーブル７０について説明する。図１０は、ＭＦＰ１が記憶している、予約されたジョブ６４の内容と予約ジョブ実行ワード６２との対応関係を示す予約ジョブテーブル７０の一例を示す図である。図１０に示すように、予約ジョブテーブル７０は、予約ジョブ実行ワード６２と、予約されたジョブ６４の内容と、予約されたジョブ６４の削除時刻６６とを関連付けて保持している。この予約ジョブテーブル７０は、ＭＦＰ１の予約ジョブ蓄積部３８（図５参照）に保持される。
【００５８】
図１０の例では、予約ジョブ実行ワード６２は数列であるため、数列のまま予約ジョブテーブル７０上に保持しているが、予約ジョブ実行ワード６２として画像等を用いる場合は、例えば、予約ジョブテーブル７０が、当該画像へのリンク等を保持するようにしてもよい。
【００５９】
（ジョブの設定を受け取ったＭＦＰが行う処理の流れの説明）
次に、図１１を用いて、ＭＦＰ１が行う処理の流れについて説明する。図１１は、外部端末であるデスクトップＰＣ２ａからジョブの設定を受け取った際に、ＭＦＰ１が行う処理の流れの一例を示すシーケンス図である。
【００６０】
まず、システム制御部４２は、デスクトップＰＣ２ａから、ユーザが設定を入力したジョブを受け取る（Ｓ２０）。そして、システム制御部４２は、ジョブ予約５３（図８参照）の項目が選択されているかどうかを判定する。
【００６１】
ジョブ予約５３の項目が選択されていない場合（Ｓ２１ａ）、システム制御部４２は、設定から実際に行う処理を決定する（Ｓ２２）。その後、エンジン制御部３２へ、処理に応じて、エンジン１２の制御を要求する（Ｓ２３）。例えば、読み取りのジョブである場合、スキャナの読み取り制御を要求する。そして、エンジン１２の制御の要求を受けたエンジン制御部３２は、要求に応じて、エンジン１２の制御を行い、スキャンや印刷を実行する（Ｓ２４）。
【００６２】
一方、ジョブ予約５３の項目が選択されている場合（Ｓ２１ｂ）、システム制御部４２は、予約ジョブ実行ワード６２の生成／登録を予約ジョブ制御部４０へ要求する（Ｓ２５）。
【００６３】
予約ジョブ実行ワード６２の生成／登録の要求を受けた予約ジョブ制御部４０は、既に登録済みのワードを避けて、新たな予約ジョブ実行ワード６２を生成する（Ｓ２６）。生成した予約ジョブ実行ワード６２は、ジョブの設定と、現在時刻とともに、予約ジョブ蓄積部３８へ登録する（Ｓ２７）。なお、登録した一連のデータは、指定がない限り、全て一定時間経過後に削除するものとする。
【００６４】
その後、予約ジョブ制御部４０は、登録した予約ジョブ実行ワード６２をシステム制御部４２へ渡す（Ｓ２８）。そして、予約ジョブ実行ワード６２を受け取ったシステム制御部４２は、デスクトップＰＣ２ａに予約ジョブ実行ワード画面６０（図９参照）を表示して、ユーザに予約ジョブ実行ワード６２を通知する（Ｓ２９）。
【００６５】
（ＭＦＰがジョブを実行する際の処理の流れの説明）
次に、図１２を用いて、ＭＦＰ１が行う処理の流れについて説明する。図１２は、ＭＦＰ１のＡＤＦ２２（圧板）に予約ジョブ実行ワード６２を書き写したメモ８０を挿入した際に、ＭＦＰ１が行う処理の流れの一例を示すシーケンス図である。
【００６６】
ＭＦＰ１の圧板にメモ８０が挿入された場合（Ｓ３０）、ＭＦＰ１はそのメモ８０を読み取って、予約ジョブ実行ワード６２が記載されていた場合には、それに対応する予約されているジョブを実行する。図１２はその際のシーケンスである。
【００６７】
圧板にメモ８０が挿入されたことを検知したセンサ受信部３０は、そのことをシステム制御部へ通知する（Ｓ３１）。
【００６８】
圧板へメモ８０が挿入された通知を受けたシステム制御部４２は、エンジン制御部３２へ圧板に挿入されたメモ８０の読み取り制御の指示を行う（Ｓ３２）。
【００６９】
エンジン制御部３２は、挿入されたメモ８０をスキャンするようにエンジン１２（スキャナエンジン１２ａ）を制御し（Ｓ３３）、読み取った画像を読み取りデータ蓄積部３４へ蓄積する（Ｓ３４）。その後、システム制御部４２へ、読み取りが完了したことを通知する（Ｓ３５）。
【００７０】
続いて、システム制御部４２は、予約ジョブ制御部４０へ予約ジョブへの対応を要求する（Ｓ３６）。
【００７１】
予約ジョブ対応要求を受けた予約ジョブ制御部４０は、メモ８０に書かれた文字列（予約ジョブ実行ワード６２）を解析するために、読み取り画像解析部３６へワード検知を指示する（Ｓ３７）。
【００７２】
ワード検知の指示を受けた読み取り画像解析部３６は、読み取りデータ蓄積部３４に蓄積された画像に対して、文字列検知を行う（Ｓ３８）。ここで解析できた文字列は予約ジョブ制御部４０へ通知する（Ｓ３９）。
【００７３】
検知した文字列を受け取った予約ジョブ制御部４０は、予約ジョブ蓄積部３８に蓄積されている各ジョブに対応する予約ジョブ実行ワード６２と、検知した文字列とが一致するかどうかを調べる（Ｓ４０）。予約ジョブ実行ワード６２として登録済みのワードだった場合、予約ジョブ制御部４０は、一致した予約ジョブ実行ワード６２と対応するジョブの設定を、予約済みのジョブ実行要求として、システム制御部４２に渡す（Ｓ４１）。ジョブの設定を受け取ったシステム制御部４２は、ジョブの設定に基づいて、実行する処理を決定する（Ｓ４２）。
【００７４】
そのジョブがプリントだった場合（Ｓ４３ａ）には、（スキャナなどとは違い）ユーザの読み取り原稿の挿入を待つ必要がないため、すぐに、蓄積されている画像の印刷をエンジン制御部３２に要求する（Ｓ４４）。印刷の要求を受けたエンジン制御部３２は、エンジン１２（プロッタエンジン１２ｂ）を制御して印刷を実行する（Ｓ４５）。
【００７５】
一方、そのジョブがコピーやスキャン等の、読み取り原稿の読み取りが必要なジョブであった場合（Ｓ４３ｂ）には、読み取り原稿が挿入されるのを待つ必要がある。そのため、システム制御部４２は、センサ受信部３０が読み取り原稿の挿入を通知するのを待つ（Ｓ４６）。そして、例えば１分間待っても読み取り原稿の挿入が通知されない場合、ユーザはジョブのキャンセルをしたとみなして、ジョブの実行は中断し、予約ジョブ制御部４０にジョブの実行完了を通知する。
【００７６】
センサ受信部３０から読み取り原稿の挿入の通知を受けた場合（Ｓ４７）、システム制御部４２はエンジン制御部３２へ、スキャンや印刷の要求を行う（Ｓ４８）。スキャンや印刷の要求を受けたエンジン制御部３２は、エンジン１２（スキャナエンジン１２ａおよびプロッタエンジン１２ｂ）を制御し、スキャンや印刷の実行を行う（Ｓ４９）。
【００７７】
その後、システム制御部４２は予約ジョブ制御部４０へ予約ジョブの実行の完了を通知する（Ｓ５０）。
【００７８】
一方、検知した文字列のチェック結果が、Ｓ４０の処理において予約ジョブ実行ワード６２として登録済みのワードでなかった場合、予約ジョブ制御部４０は、特に何も行わずに処理を終了し、処理の終了を受けたシステム制御部４２は処理を終了する（Ｓ５１）。
【００７９】
以上説明したように、本実施の形態に係るＭＦＰ１（画像形成装置）によれば、ＭＦＰ１に実行させるジョブを予約した際に、当該ジョブの設定と、ジョブに対応する予約ジョブ実行ワード６２（予約ジョブ実行許可情報）とを関連付けて、予約ジョブ蓄積部３８に記憶する。そして、センサ受信部３０（原稿検知部）が検知した原稿を、エンジン制御部３２がエンジン１２を制御することによって読み取って、読み取りデータ蓄積部３４が、読み取った画像データを蓄積する。さらに、予約ジョブ制御部４０は、原稿から読み取った画像データの特徴量と予約ジョブ蓄積部３８に記憶された予約ジョブ実行ワード６２が有する特徴量とが一致したことを条件として、当該予約ジョブ実行ワード６２に関連付けられたジョブをシステム制御部４２に実行させる。したがって、モバイル端末を持たないユーザであっても、予めＱＲコード（登録商標）等でジョブの設定を記述した原稿を準備することなく、パネルレスの画像形成装置の目の前でジョブを発行させることができる。
【００８０】
また、本実施の形態に係るＭＦＰ１によれば、予約ジョブ実行ワード６２は文字列を含む。したがって、ユーザは、指示された予約ジョブ実行許可情報を容易に書き写すことができる。
【００８１】
また、本実施の形態に係るＭＦＰ１によれば、予約ジョブ制御部４０がプリントを行うジョブを受け付けた際に、当該予約ジョブ制御部４０は、原稿の一枚目から読み取った画像データの特徴量と予約ジョブ蓄積部３８に記憶された予約ジョブ実行ワード６２が有する特徴量とが一致したことを条件として、原稿の二枚目以降に対してプリントを行うジョブを実行する。したがって、ユーザが自ら予約ジョブ実行許可情報を生成することができる。
【００８２】
また、本実施の形態に係るＭＦＰ１によれば、予約ジョブ蓄積部３８は、所定時間が経過したことを条件として、予約されたジョブを削除する。したがって、半永久的に使える予約ジョブ実行許可情報と、すぐに利用不可能になる予約ジョブ実行許可情報とを使い分けることができる。
【００８３】
また、本実施の形態に係るＭＦＰ１によれば、センサ受信部３０は、原稿を検知した際に、当該原稿の読み取りを行うかを選択する読み取り実行ボタン５４（選択スイッチ）を更に備える。したがって、例えば、圧板に原稿を入れる毎に、直ちにスキャンを行うか否かを、適宜選択することができる。
【００８４】
また、本実施の形態に係るＭＦＰ１によれば、センサ受信部３０（原稿検知部）は、所定の位置に載置された原稿を押さえる圧板と、薄手のシート状の原稿を挿入する第１の給紙口２２０と、厚手のシート状の原稿を挿入する第２の給紙口２２１と、の少なくとも一つを備える。したがって、異なる複数の原稿挿入口を備えるＭＦＰ１であっても、予約されたジョブを実行することができる。
【００８５】
以上、本発明の実施の形態について説明したが、前記した実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことができる。また、この実施の形態は、発明の範囲や要旨に含まれるとともに、特許請求の範囲に記載された発明とその均等の範囲に含まれる。
【００８６】
例えば、本実施の形態の例では、ＭＦＰ１は、ＣＰＵ１６が、各種処理をソフトウェアで実現することとしたが、その一部または全部を、ＩＣ（Integrated  Circuit）等のハードウェアで実現してもよい。また、ＣＰＵ１６が実行する制御プログラムは、インストール可能な形式、または実行可能な形式のファイルでＣＤ−ＲＯＭ、フレキシブルディスク（ＦＤ）、ＣＤ−Ｒ、ＤＶＤ、ブルーレイディスク（登録商標）、半導体メモリ等のコンピュータ装置で読み取り可能な記録媒体に記録して提供してもよい。ＤＶＤは、「Digital  Versatile  Disc」の略記である。また、制御プログラムは、インターネット等のネットワーク経由でインストールする形態で提供してもよい。また、制御プログラムは、機器内のＲＯＭ等に予め組み込んで提供してもよい。
【符号の説明】
【００８７】
１    ＭＦＰ（画像形成装置）
２２    ＡＤＦ（圧板）
３０    センサ受信部（原稿検知部）
３２    エンジン制御部
３４    読み取りデータ蓄積部
３６    読み取り画像解析部
３８    予約ジョブ蓄積部
４０    予約ジョブ制御部
４２    システム制御部
５４    読み取り実行ボタン（選択スイッチ）
６２    予約ジョブ実行ワード（予約ジョブ実行許可情報）
８０    メモ（原稿）
２２０    第１の給紙口
２２１    第２の給紙口
【先行技術文献】
【特許文献】
【００８８】
【特許文献１】特開２０１０−１８７０５６号公報
【図１】
2019161281.tif 000003
【図２】
2019161281.tif 000004
【図３】
2019161281.tif 000005
【図４】
2019161281.tif 000006
【図５】
2019161281.tif 000007
【図６】
2019161281.tif 000008
【図７】
2019161281.tif 000009
【図８】
2019161281.tif 000010
【図９】
2019161281.tif 000011
【図１０】
2019161281.tif 000012
【図１１】
2019161281.tif 000013
【図１２】
2019161281.tif 000014